(57)【要約】【課題】  許可を受けていない者からの不正使用を防止して個人所有の通信資源の有効利用が可能な無線通信ネットワークを提供する。【解決手段】  自端末を特定する端末情報と基地局を特定する基地局情報とを含む認証情報を生成する認証情報生成部と、生成された認証情報を含む認証情報設定要求を生成して基地局へ送信する制御部とを含む端末２００と、端末から受信した認証情報設定要求に含まれる認証情報から端末情報と基地局情報とを抽出する認証情報分析部１０６と、抽出された基地局情報が自己を特定する基地局情報である場合に、抽出された端末情報を保存する端末情報蓄積部１０７と、端末からの呼設定要求に応答して上位ネットワーク装置３００から送られてくる個別チャネル設定要求に含まれる端末情報と端末情報蓄積部に保存されている端末情報とに基づき自基地局への接続の可否を判定する認証部１０５とを含む基地局１００とを備えている。【選択図】        図１
2006254080.tif 000002
【特許請求の範囲】
【請求項１】
端末から受信した認証情報設定要求に含まれる認証情報から該端末を特定する端末情報と基地局を特定する基地局情報とを抽出する認証情報分析部と、
前記認証情報分析部によって抽出された基地局情報が自己を特定する基地局情報である場合に、抽出された端末情報を保存する端末情報蓄積部と、
前記端末からの呼設定要求に応答して上位ネットワーク装置から送られてくる個別チャネル設定要求に含まれる端末情報と前記端末情報蓄積部に保存されている端末情報とに基づき自基地局への接続の可否を判定する認証部
とを備えた基地局。
【請求項２】
自基地局を特定するための基地局情報を表示する表示部を備えたことを特徴とする請求項１記載の基地局。
【請求項３】
自端末を特定する端末情報と報知情報を送信した基地局を特定する基地局情報とを含む認証情報を生成する認証情報生成部と、
前記認証情報生成部で生成された認証情報を含む認証情報設定要求を生成して前記基地局へ送信する制御部
とを備えた端末。
【請求項４】
基地局情報を入力するための入力データ処理部を備え、
前記認証情報生成部は、自端末を特定する端末情報と前記入力データ処理部によって得られた基地局情報とを含む認証情報を生成することを特徴とする請求項３記載の端末。
【請求項５】
上位ネットワーク装置に有線で接続された基地局と、該基地局に無線で接続される端末とを備えた無線通信ネットワークであって、
前記端末は、
自端末を特定する端末情報と報知情報を送信した基地局を特定する基地局情報とを含む認証情報を生成する認証情報生成部と、
前記認証情報生成部で生成された認証情報を含む認証情報設定要求を生成して前記基地局へ送信する制御部
とを備え、
前記基地局は、
前記端末から受信した認証情報設定要求に含まれる認証情報から端末情報と基地局情報とを抽出する認証情報分析部と、
前記認証情報分析部によって抽出された基地局情報が自己を特定する基地局情報である場合に、抽出された端末情報を保存する端末情報蓄積部と、
前記端末からの呼設定要求に応答して上位ネットワーク装置から送られてくる個別チャネル設定要求に含まれる端末情報と前記端末情報蓄積部に保存されている端末情報とに基づき自基地局への接続の可否を判定する認証部
とを備えた無線通信ネットワーク。
【請求項６】
基地局は、自基地局を特定するための基地局情報を表示する表示部を備えたことを特徴とする請求項５記載の無線通信ネットワーク。
【請求項７】
基地局情報を入力するための入力データ処理部を備え、
端末の認証情報生成部は、自端末を特定する端末情報と前記入力データ処理部によって得られた基地局情報とを含む認証情報を生成することを特徴とする請求項６記載の無線通信ネットワーク。
【発明の詳細な説明】
【技術分野】
【０００１】
この発明は無線通信ネットワークならびにこれに用いられる基地局および端末に関し、特に同一エリアを複数の基地局によりカバーする運用形態において、基地局がサービスを提供する端末を限定する技術に関する。
【背景技術】
【０００２】
近年、ＩＰ（Internet Protocol)網の普及や、無線基地局の低価格化および小型化が進み、専用無線基地局のニーズが高まっている。このような状況にあって、個人用の無線基地局を考えると、無線基地局に接続される有線回線の利用効率を高める必要がある。従来の無線基地局（以下、単に「基地局」という）においては、無線通信ネットワークへのアクセスを規制することにより有線回線の利用効率を高めることが行われている。
【０００３】
例えば、特許文献１に開示された簡易型携帯電話システムにおける不正使用者の繰り返し発信によるネットワーク側への発信処理負荷を軽減する方法では、無線通信ネットワークへのアクセスが基地局を介して行われる場合、不正端末を特定し、その不正端末の電話番号が無線通信ネットワーク内に設けられたデータベースに保持される。そして、不正端末からの２回目以降の発信時には、基地局からデータベースを検索し、一致する電話番号が検索されたら発信を拒否することにより、当該端末からの無線通信ネットワークへのアクセスが規制される。
【０００４】
【特許文献１】特開平８−１４０１４４号公報
【発明の開示】
【発明が解決しようとする課題】
【０００５】
しかしながら、上述した従来の技術では、専用の基地局へのアクセスのみを規制する手段を備えていない。従って、上述した技術では、全ての基地局で端末からのアクセスを拒否することになるので、専用の基地局だけでなく、公衆用として設置されている基地局まで使用できなくなり、結果として、端末を使用できない状態になってしまうという問題が発生する。
【０００６】
この発明は、このような問題を解消するためになされたものであり、許可を受けていない者からの不正使用を防止して個人所有の通信資源の有効利用が可能な無線通信ネットワークならびにこれに用いられる基地局および端末を提供することを目的とする。
【課題を解決するための手段】
【０００７】
この発明に係る基地局は、端末から受信した認証情報設定要求に含まれる認証情報から該端末を特定する端末情報と基地局を特定する基地局情報とを抽出する認証情報分析部と、認証情報分析部によって抽出された基地局情報が自己を特定する基地局情報である場合に、抽出された端末情報を保存する端末情報蓄積部と、端末からの呼設定要求に応答して上位ネットワーク装置から送られてくる個別チャネル設定要求に含まれる端末情報と端末情報蓄積部に保存されている端末情報とに基づき自基地局への接続の可否を判定する認証部とを備えているものである。
【０００８】
この発明に係る端末は、自端末を特定する端末情報と報知情報を送信した基地局を特定する基地局情報とを含む認証情報を生成する認証情報生成部と、認証情報生成部で生成された認証情報を含む認証情報設定要求を生成して基地局へ送信する制御部とを備えているものである。
【０００９】
この発明に係る無線通信ネットワークは、上位ネットワーク装置に有線で接続された基地局と、該基地局に無線で接続される端末とを備えた無線通信ネットワークであって、端末は、自端末を特定する端末情報と報知情報を送信した基地局を特定する基地局情報とを含む認証情報を生成する認証情報生成部と、認証情報生成部で生成された認証情報を含む認証情報設定要求を生成して基地局へ送信する制御部とを備え、基地局は、端末から受信した認証情報設定要求に含まれる認証情報から端末情報と基地局情報とを抽出する認証情報分析部と、認証情報分析部によって抽出された基地局情報が自己を特定する基地局情報である場合に、抽出された端末情報を保存する端末情報蓄積部と、端末からの呼設定要求に応答して上位ネットワーク装置から送られてくる個別チャネル設定要求に含まれる端末情報と端末情報蓄積部に保存されている端末情報とに基づき自基地局への接続の可否を判定する認証部とを備えているものである。
【発明の効果】
【００１０】
この発明によれば、基地局は、端末を特定して自基地局への接続の可否を判定するように構成したので、利用者によって私的に設置された基地局に対してアクセス許可を受けていない端末に規制をかけることが可能となり、不正使用を防止できる。また、通信資源が圧迫されることがないので通信資源を有効に活用できる。さらに、基地局に端末情報が保持されていない端末が該基地局を介して行う通信のみが規制されるので、他の基地局を介する端末自体は継続して使用することができる。従って、接続許可を受けていない端末の通信を妨げることはない。
【発明を実施するための最良の形態】
【００１１】
以下、この発明の実施の形態を、図面を参照しながら詳細に説明する。
実施の形態１．
この発明の実施の形態１に係る無線通信ネットワークは、基地局１００、この基地局１００に対して無線で接続される端末２００および基地局１００に対して有線で接続された上位ネットワーク装置としての無線管理ネットワーク３００から構成されている。
【００１２】
図１は、この発明の実施の形態１に係る無線通信ネットワークで使用される基地局１００の構成を示すブロック図である。この基地局１００は、送受信部１０１、有線インタフェース部１０２、信号処理部１０３、メッセージ処理部１０４、認証情報分析部１０６、端末情報蓄積部１０７および認証部１０５から構成されている。
【００１３】
送受信部１０１は、端末２００との間で行われる無線通信を制御する。具体的には、送受信部１０１は、信号処理部１０３から送られてくる信号を無線で端末２００に送信するとともに、端末２００から無線で送られてくる信号を受信して信号処理部１０３に送る。有線インタフェース部１０２は、有線回線によって接続された無線管理ネットワーク３００との間で行われる通信を制御する。具体的には、有線インタフェース部１０２は、信号処理部１０３から送られてくる信号を有線で無線管理ネットワーク３００に送信するとともに、無線管理ネットワーク３００から有線で送られてくる信号を受信して信号処理部１０３に送る。
【００１４】
信号処理部１０３は、送受信部１０１から送られてくる信号が制御用メッセージである場合はメッセージ処理部１０４へ送り、制御用メッセージでない場合は有線インタフェース部１０２に送る。同様に、信号処理部１０３は、有線インタフェース部１０２から送られてくる信号が制御用メッセージである場合はメッセージ処理部１０４へ送り、制御用メッセージでない場合は送受信部１０１に送る。
【００１５】
メッセージ処理部１０４は、信号処理部１０３から受け取った制御用メッセージを解析する。そして、この解析結果に基づいて基地局１００の制御を行う。例えば、詳細は後述するが、信号処理部１０３から受け取った制御用メッセージが認証情報設定要求メッセージであると判断した場合は、該認証情報設定要求メッセージから認証情報を抽出して認証情報分析部１０６に送る。また、信号処理部１０３から受け取った制御用メッセージが個別チャネル設定要求メッセージであると判断した場合は、個別チャネル設定要求メッセージから端末情報（例えば電話番号）を抽出して認証部１０５に送る。
【００１６】
認証情報分析部１０６は、メッセージ処理部１０４から送られてくる認証情報を解析し、端末情報および基地局情報を抽出する。そして、抽出した基地局情報と予め認証情報分析部１０６に登録されている自基地局の基地局情報とを比較し、これらが一致すれば、抽出した端末情報を端末情報蓄積部１０７に送って保存する。また、認証情報分析部１０６は、抽出した端末情報を端末情報蓄積部１０７に保存できた場合に、正常応答をメッセージ処理部１０４に送る。
【００１７】
認証部１０５は、詳細は後述するが、メッセージ処理部１０４からパラメータとして送られてくる端末情報および個別チャネル設定要求メッセージを受け取り、端末情報を元に端末情報蓄積部１０７を検索し、一致する端末情報が存在するか否かを調べる。そして、一致する端末情報が存在する場合に接続可能であると判定し、その旨をメッセージ処理部１０４に通知する。端末情報蓄積部１０７は、認証情報分析部１０６で抽出された端末情報を保存する。この端末情報蓄積部１０７に保存されている端末情報は、上述したように、認証部１０５によって参照される。
【００１８】
図２は、この発明の実施の形態１に係る無線通信ネットワークで使用される端末２００の構成を示すブロック図である。この端末２００は、送受信部２０１、メッセージ処理部２０２、認証情報生成部２０３、端末情報蓄積部２０４および基地局情報蓄積部２０５を備えている。なお、この発明の制御部は、送受信部２０１およびメッセージ処理部２０２に対応する。
【００１９】
送受信部２０１は、基地局１００との間で行われる無線通信を制御する。具体的には、送受信部２０１は、メッセージ処理部２０２から送られてくる信号を無線で基地局１００に送信するとともに、基地局１００から無線で送られてくる信号を受信してメッセージ処理部２０２に送る。
【００２０】
メッセージ処理部２０２は、基地局１００との間で送受されるメッセージを処理することにより、端末２００の全体の動作を制御する。例えば、詳細は後述するが、送受信部２０１から受け取ったメッセージを分析し、この分析した結果を認証情報生成部２０３に送る。また、分析により報知情報メッセージであることを判断した場合に、該報知情報メッセージの中から基地局情報を抽出して基地局情報蓄積部２０５に送る。また、メッセージ処理部２０２は、端末情報蓄積部２０４から取得した端末情報を含む呼設定要求メッセージを生成して送受信部２０１に送る。
【００２１】
認証情報生成部２０３は、メッセージ処理部２０２において基地局１００への認証情報登録手順を実行する際に基地局１００に通知する認証情報を生成する。具体的には、認証情報生成部２０３は、メッセージ処理部２０２から起動されることによって基地局情報蓄積部２０５から基地局情報を取得するとともに、端末情報蓄積部２０４から端末情報を取得し、これら基地局情報と端末情報とから認証情報を生成してメッセージ処理部２０２に送る。
【００２２】
端末情報蓄積部２０４は、認証情報を生成するために使用する端末情報を保持する。この端末情報蓄積部２０４に保持された端末情報は、上述したように、メッセージ処理部２０２および認証情報生成部２０３から参照される。基地局情報蓄積部２０５は、メッセージ処理部２０２から送られてくる基地局情報を保存する。この基地局情報蓄積部２０５に保存された基地局情報は、上述したように、認証情報生成部２０３によって参照される。
【００２３】
図３は、この発明の実施の形態１に係る無線通信ネットワークの運用形態を示す図である。複数の基地局Ａ、基地局Ｂおよび基地局Ｃは、図３（ａ）に示すように、無線管理ネットワーク３００に接続されている。基地局Ａ、基地局Ｂおよび基地局Ｃによってサービスが提供される領域を、図３（ｂ）に示すように、それぞれ領域ａ、領域ｂおよび領域ｃとし、これらの領域は、互いに重なる部分を有するものとする。
【００２４】
また、端末αおよび端末βは、基地局から送信される報知情報の受信レベルに応じて、複数の基地局に対して位置登録を行う機能を有する。また、端末αには、基地局Ｃに対して位置登録を行う前に、認証情報登録手順を実施するプログラムが事前に登録されているものとする。これに対して、端末βには認証情報登録手順を実施するプログラムが事前に登録されておらず、認証情報登録を行う機能をもたないものとする。
【００２５】
次に、上記のように構成される実施の形態１に係る無線通信ネットワークにおいて、端末が基地局を使用して通信を行うために実施される位置登録手順に先立って行われる動作を、図４に示すシーケンス図を参照しながら説明する。
【００２６】
まず、端末αは、基地局Ｃから送信される報知情報メッセージを受信する（ステップＳＴ１０）。この時の端末αの動作を、図５を参照しながら説明する。端末αが基地局Ｃのカバーする領域ｃに入り、基地局Ｃからの報知情報メッセージ４０１を受信すると、送受信部２０１は、受信した報知情報メッセージ４０１をメッセージ処理部２０２へ送る。メッセージ処理部２０２は、受け取ったメッセージを分析する分析処理２０２２を行い、この分析処理２０２２によって報知情報メッセージ４０１であることが判断された場合に、該報知情報メッセージ４０１の中から基地局情報を抽出する基地局情報抽出処理２０２１を実行する。この基地局情報抽出処理２０２１によって抽出された基地局情報は、基地局Ｃを特定するための情報であり、基地局情報蓄積部２０５に保存される。
【００２７】
次に、端末αは、報知情報メッセージを受信した後に、基地局Ｃに対して認証情報設定要求を行う（ステップＳＴ１１）。この時の端末αの動作を、図６を参照しながら説明する。メッセージ処理部２０２は、基地局情報を基地局情報蓄積部２０５に保存した後に、認証情報生成部２０３を起動する。起動された認証情報生成部２０３は、基地局情報蓄積部２０５から基地局情報を取得するとともに、端末情報蓄積部２０４から端末情報を取得し、これら基地局情報と端末情報とから認証情報を生成してメッセージ処理部２０２に送る。メッセージ処理部２０２は、認証情報生成部２０３から送られてきた認証情報に基づき認証情報設定要求メッセージ４０２を生成する。この生成された認証情報設定要求メッセージ４０２は、送受信部２０１を介して基地局Ｃへ送信される。ステップＳＴ１１は、必ずしもステップＳＴ１３以降の動作で使用する同一無線インタフェース上の手順である必要はなく、ＵＳＢなどの有線インタフェース上あるいはｂｌｕｅｔｏｏｔｈ、ＩｒＤＡなどの別方式の無線インタフェース上で行うことが可能である。
【００２８】
次に、端末αから認証情報設定要求メッセージを受信した基地局Ｃは、認証情報設定応答メッセージを端末αに返す（ステップＳＴ１２）。この時の動作を、図７を参照しながら説明する。基地局Ｃの送受信部１０１において受信された認証情報設定要求メッセージ４０２は、信号処理部１０３へ送られる。信号処理部１０３は、受け取ったメッセージが制御用メッセージである旨を識別すると、その制御用メッセージをメッセージ処理部１０４へ送る。メッセージ処理部１０４は、受け取ったメッセージを解析した結果、認証情報設定要求メッセージ４０２であると判断すると、その認証情報設定要求メッセージ４０２を認証情報分析部１０６に送る。これにより、認証情報分析部１０６は、認証情報分析処理１０６１を開始する。ステップＳＴ１２は、必ずしもステップＳＴ１３以降の動作で使用する同一無線インタフェース上の手順である必要はなく、ＵＳＢなどの有線インタフェース上あるいはｂｌｕｅｔｏｏｔｈ、ＩｒＤＡなどの別方式の無線インタフェース上で行うことが可能である。
【００２９】
認証情報分析処理１０６１では、認証情報設定要求メッセージ４０２に含まれる認証情報から端末情報および基地局情報が抽出される。そして、抽出された基地局情報と予め認証情報分析部１０６に登録されている自基地局の基地局情報とが比較され、これらが一致すれば、抽出された端末情報が端末情報蓄積部１０７に保存される。その後、認証情報分析部１０６は、正常応答をメッセージ処理部１０４へ返す。正常応答を受けたメッセージ処理部１０４は、認証情報設定応答メッセージ４０３を生成する。この生成された認証情報設定応答メッセージ４０３は、信号処理部１０３および送受信部１０１を介して端末αに送信される。
【００３０】
なお、認証情報設定要求メッセージ４０２から抽出された基地局情報と自基地局の基地局情報とを比較した結果、これらが一致しなければ、抽出された端末情報は端末情報蓄積部１０７に保存されず、認証情報分析部１０６は、正常応答をメッセージ処理部１０４へ返さない。従って、メッセージ処理部１０４は、認証情報設定応答メッセージ４０３を生成しないので、認証情報設定応答メッセージ４０３は、端末αに送信されない。その結果、認証手順は完了しないので、端末αは以後の手順を実行することができず、基地局Ｃを使用した通信を行うことができない。
【００３１】
次に、位置登録手順の実施時に使用される個別チャネル設定の動作を、図８を参照しながら説明する。基地局Ｃからの認証情報設定応答メッセージ４０３を受信した端末αの送受信部２０１は、受信したメッセージをメッセージ処理部２０２に送る。メッセージ処理部２０２は、送受信部２０１から受け取ったメッセージが認証情報設定応答メッセージ４０３であると認識すると、認証手順が完了した旨を判断し、位置登録手順を実施するための個別チャネルを設定する処理を行う。
【００３２】
この個別チャネルを設定する処理では、まず、端末αは呼設定要求メッセージを基地局Ｃに送信する（ステップＳＴ１３）。具体的には、メッセージ処理部２０２は、端末情報蓄積部２０４から端末情報を取得し、この取得した端末情報が含まれる呼設定要求メッセージ４０４を生成する。メッセージ処理部２０２において生成された呼設定要求メッセージ４０４は、送受信部２０１を介して基地局Ｃに送信される。呼設定要求メッセージ４０４を受信した基地局Ｃの送受信部１０１は、受信したメッセージを信号処理部１０３に送る。信号処理部１０３は、送受信部１０１から受け取ったメッセージが基地局Ｃに対する制御用メッセージではないと判断し、呼設定要求メッセージ４０４を、有線インタフェース部１０２を介して無線管理ネットワーク３００に送信する（ステップＳＴ１４）。
【００３３】
次に、呼設定要求メッセージを受信した無線管理ネットワーク３００と基地局間で行われる、個別チャネルを設定する動作を、図９を参照しながら説明する。呼設定要求メッセージ４０４を受信した無線管理ネットワーク３００は、端末αとの間の個別チャネルを設定するために、基地局Ｃに対して端末情報が含まれる個別チャネル設定要求メッセージ４０５を送信する（ステップＳＴ１５）。無線管理ネットワーク３００から個別チャネル設定要求メッセージ４０５を受信した基地局Ｃの有線インタフェース部１０２は、その個別チャネル設定要求メッセージ４０５を信号処理部１０３に送る。信号処理部１０３は、受け取ったメッセージが基地局Ｃに対する制御用メッセージであると判断し、その個別チャネル設定要求メッセージ４０５をメッセージ処理部１０４に送る。
【００３４】
個別チャネル設定要求メッセージ４０５を受け取ったメッセージ処理部１０４は、その個別チャネル設定要求メッセージ４０５に含まれる端末情報を抽出し、認証部１０５に対して端末情報と個別チャネル設定要求メッセージ４０５とをパラメータとして送る。これにより、認証部１０５において認証処理１０５１が開始される。この認証処理１０５１においては、端末情報を元に端末情報蓄積部１０７が検索される。この検索の結果、一致する端末情報が存在する場合には、無線管理ネットワーク３００からの個別チャネル設定要求メッセージ４０５によって指定された条件で、個別チャネルを設定し、無線管理ネットワーク３００に対して個別チャネル設定応答メッセージ４０６を送信する（ステップＳＴ１６）。一方、上述した検索の結果、一致する端末情報が存在しない場合には、個別チャネル設定失敗メッセージが無線管理ネットワーク３００に送信される（ステップＳＴ１７）。
【００３５】
次に、無線管理ネットワークが個別チャネル設定応答メッセージを受信した後の動作を、図１０を参照しながら説明する。基地局Ｃからの個別チャネル設定応答メッセージ４０６を受信した無線管理ネットワーク３００は、新たな個別チャネルの使用開始タイミングを設定した呼設定応答メッセージ４０７を生成し、基地局Ｃに送信する（ステップＳＴ１８）。呼設定応答メッセージ４０７を受信した基地局Ｃの有線インタフェース部１０２は、受信した呼設定応答メッセージ４０７を信号処理部１０３に送る。
【００３６】
信号処理部１０３は、受け取ったメッセージが基地局に対する制御用メッセージではないと判断し、その呼設定応答メッセージ４０７を、送受信部１０１を介して端末αに送信する（ステップＳＴ１９）。呼設定応答メッセージ４０７を受信した端末αの送受信部２０１は、受け取ったメッセージをメッセージ処理部２０２に送る。メッセージ処理部２０２は、通信路となるチャネル設定に成功したと認識する。これにより、新たな個別チャネルを使用した位置登録手順が実施可能となる。
【００３７】
これに対して、基地局Ｃでの認証失敗により個別チャネル設定失敗メッセージを受信した無線管理ネットワーク３００は、端末αからの呼設定要求メッセージ４０４に対して、呼設定失敗メッセージを基地局Ｃに送信する（ステップＳＴ２０）。基地局Ｃは、受信した呼設定失敗メッセージを端末αに送信する（ステップＳＴ２１）。呼設定失敗メッセージを受信した端末αは、位置登録対象とする基地局から基地局Ｃを外し、別の基地局を検索する。
【００３８】
以上の手順により、基地局Ｃへのアクセスは、認証情報設定手順を実現するプログラムによる端末情報の登録が行われない限り、チャネル設定時に認証が正常に終了できないため、位置登録時に必要となる個別チャネル設定ができなくなる。これにより、事前に許容した端末以外からの基地局Ｃを使用した通信はできなくなり、許可を受けていない者からの不正使用を防止することが可能となる。
【００３９】
実施の形態２
図１１は、この発明の実施の形態２に係る無線通信システムで使用される基地局１００’の構成を示すブロック図である。この基地局１００’は、図１に示した実施の形態１に係る基地局１００に表示部１０８が追加されて構成されている。表示部１０８は、メッセージ処理部１０４から送られてくるデータに従って内部情報を表示する。
【００４０】
図１２は、この発明の実施の形態２に係る無線通信システムで使用される端末２００’の構成を示すブロック図である。この端末２００’は、図２に示した実施の形態１に係る端末２００に入力データ処理部２０６が追加されて構成されている。入力データ処理部２０６は、入力ボタンの操作によって入力された情報を処理する。
【００４１】
次に、上記のように構成される実施の形態２に係る無線通信ネットワークにおいて、端末が基地局を使用して通信を行うために実施される位置登録手順に先立って行われる動作を説明する。
【００４２】
端末αおよび端末βには、事前に認証情報登録手順などを実施するプログラムが登録されているものとする。ただし、端末αの使用者は、基地局Ｃの設置場所を知っており表示部１０８に表示される内容を事前に知り得るものとする。
【００４３】
端末αの使用者による端末情報登録時の操作について説明する。基地局Ｃに備えられた表示部１０８には、基地局Ｃを特定するための基地局情報が表示されており、基地局Ｃの使用許可を受けていない者は基地局情報を知り得ない。使用者は、端末αに備えられた入力ボタンを使用し、基地局情報を入力することで端末αに基地局Ｃを特定するための基地局情報を設定する。
【００４４】
次に、基地局情報が入力された端末αの動作を、図１３を参照しながら説明する。基地局情報が入力された端末αでは、入力データ処理部２０６からメッセージ処理部２０２に対して入力内容が送られる。入力内容の通知を受けたメッセージ処理部２０２は、認証情報生成部２０３を起動する。起動された認証情報生成部２０３は、端末情報蓄積部２０４から保存されている端末情報を取得する。認証情報生成部２０３は、メッセージ処理部２０２から受け取った基地局情報と端末情報蓄積部２０４から取得した端末情報とから認証情報を生成する。この生成された認証情報は、メッセージ処理部２０２に送られる。この認証情報を受け取ったメッセージ処理部２０２は、認証情報設定要求メッセージに認証情報を設定し、基地局Ｃへ送信する。
【００４５】
基地局Ｃは、実施の形態１に係る基地局と同様に、受信した認証情報から端末情報を抽出し、端末情報蓄積部１０７に保存する。この手順により、基地局Ｃで表示される基地局情報を知り得ない許可を受けていない者は基地局Ｃに対して端末情報の登録を行うことができないため個別チャネル設定に失敗する。
【００４６】
これにより、事前に許容した端末以外からの基地局Ｃを使用した位置登録に必要な個別チャネル設定ができなくなり、許可を受けていない者からの不正使用を防止することが可能となる。また、実施の形態１に係る場合とは異なり、端末に実装されるプログラム自体に差異はなく、使用者の使い勝手も向上できる。
【産業上の利用可能性】
【００４７】
この発明の活用例として、私設網、例えば社内ＬＡＮ（Local Area Network）や個人契約のＡＤＳＬ（Asymmetric Digital Subscriber Line）などを利用した専用基地局を提供するサービスに利用でき、私設網のトラヒック軽減などの効果が得られる。
【図面の簡単な説明】
【００４８】
【図１】この発明の実施の形態１に係る無線通信ネットワークで使用される基地局の構成を示すブロック図である。
【図２】この発明の実施の形態１に係る無線通信ネットワークで使用される端末の構成を示すブロック図である。
【図３】この発明の実施の形態１に係る無線通信ネットワークの運用形態を示す図である。
【図４】この発明の実施の形態１に係る無線通信ネットワークにおいて実施される位置登録手順に先立って行われる動作を示すシーケンス図である。
【図５】この発明の実施の形態１に係る無線通信ネットワークで使用される端末で報知情報を受信する動作を説明するための図である。
【図６】この発明の実施の形態１に係る無線通信ネットワークで使用される端末で認証情報設定要求を送信する動作を説明するための図である。
【図７】この発明の実施の形態１に係る無線通信ネットワークで使用される基地局で認証情報設定要求に応答する動作を説明するための図である。
【図８】この発明の実施の形態１に係る無線通信ネットワークにおける認証登録完了時の動作を説明するための図である。
【図９】この発明の実施の形態１に係る無線通信ネットワークにおける個別チャネル設定の動作を説明するための図である。
【図１０】この発明の実施の形態１に係る無線通信ネットワークにおける個別チャネル設定後の動作を説明するための図である。
【図１１】この発明の実施の形態２に係る無線通信ネットワークで使用される基地局の構成を示すブロック図である。
【図１２】この発明の実施の形態２に係る無線通信ネットワークで使用される端末の構成を示すブロック図である。
【図１３】この発明の実施の形態２に係る無線通信ネットワークで使用される端末での認証情報登録時の動作を説明するための図である。
【符号の説明】
【００４９】
１００，１００’  基地局、１０１  送受信部、１０２  有線インタフェース部、１０３  信号処理部、１０４  メッセージ処理部、１０５  認証部、１０６  認証情報分析部、１０７  端末情報蓄積部、１０８  表示部、２００，２００’  端末、２０１  送受信部、２０２  メッセージ処理部、２０３  認証情報生成部、２０４  端末情報蓄積部、２０５  基地局情報蓄積部、２０６  入力データ処理部、３００  無線管理ネットワーク、４０１  報知情報メッセージ、４０２  認証情報設定要求メッセージ、４０３  認証情報設定応答メッセージ、４０４  呼設定要求メッセージ、４０５  個別チャネル設定要求メッセージ、４０６  個別チャネル設定応答メッセージ、４０７  呼設定応答メッセージ、２０２１  基地局情報抽出処理、２０２２  分析処理、Ａ，Ｂ，Ｃ  基地局、ａ，ｂ，ｃ  領域、α，β  端末。
【図１】
2006254080.tif 000003
【図２】
2006254080.tif 000004
【図３】
2006254080.tif 000005
【図４】
2006254080.tif 000006
【図５】
2006254080.tif 000007
【図６】
2006254080.tif 000008
【図７】
2006254080.tif 000009
【図８】
2006254080.tif 000010
【図９】
2006254080.tif 000011
【図１０】
2006254080.tif 000012
【図１１】
2006254080.tif 000013
【図１２】
2006254080.tif 000014
【図１３】
2006254080.tif 000015